(57)【要約】【課題】  スピーカシステムが接続された音声信号出力端子への音声信号の出力のＯＮ／ＯＦＦとシンク装置が接続されたＨＤＭＩ出力端子への音声信号の出力のＯＮ／ＯＦＦとを切り換えて、雑音や歪みのない良質な音声を聴くことができるようにする。【解決手段】  音声信号出力端子の音声出力のＯＮ／ＯＦＦの設定値とＨＤＭＩ出力端子の音声出力のＯＮ／ＯＦＦの設定値とを設定して、設定された音声信号出力端子の音声出力の設定値とＨＤＭＩ出力端子の音声出力の設定値とを記憶し、記憶されている音声信号出力端子の音声出力の設定値とＨＤＭＩ出力端子の音声出力の設定値とに基づいて音声信号出力端子への音声信号の出力のＯＮ／ＯＦＦとＨＤＭＩ出力端子への音声信号の出力のＯＮ／ＯＦＦとを切り換えるようにする。【選択図】        図１
2007180745.tif 000002
【特許請求の範囲】
【請求項１】
ＨＤＭＩ規格に対応したソース装置とシンク装置との中間に接続して、音声出力端子に接続されたスピーカシステムに音声信号を増幅して出力し、ＨＤＭＩ出力端子に接続されたシンク装置に映像音声信号を出力するリピータ装置であって、
音声信号出力端子の音声出力のＯＮ／ＯＦＦの設定値とＨＤＭＩ出力端子の音声出力のＯＮ／ＯＦＦの設定値とを設定する設定手段と、前記設定手段により設定された音声信号出力端子の音声出力の設定値とＨＤＭＩ出力端子の音声出力の設定値とを記憶する記憶手段と、前記記憶手段に記憶されている音声信号出力端子の音声出力の設定値とＨＤＭＩ出力端子の音声出力の設定値とに基づいて音声信号出力端子への音声信号の出力のＯＮ／ＯＦＦとＨＤＭＩ出力端子への音声信号の出力のＯＮ／ＯＦＦとを切り換える切換手段と、前記切換手段に音声出力の切り換えを指令する指令手段とを備え、
前記記憶手段に記憶されている音声信号出力端子の音声出力がＯＮに設定されている場合、映像音声信号に挿入された音声信号を抽出して増幅し、音声信号出力端子に音声信号を出力するように制御して、音声信号出力端子への音声信号の出力をＯＮに切り換え、前記記憶手段に記憶されている音声信号出力端子の音声出力がＯＦＦに設定されている場合、映像音声信号に挿入された音声信号の抽出を停止し、音声信号出力端子に音声信号を出力しないように制御して、音声信号出力端子への音声信号の出力をＯＦＦに切り換え、
前記記憶手段に記憶されているＨＤＭＩ出力端子の音声出力がＯＦＦに設定されている場合、ＨＤＭＩ出力端子に出力する映像音声信号に挿入された音声信号にミュートをかけ、ＨＤＭＩ出力端子に映像信号のみを出力するように制御して、ＨＤＭＩ出力端子への音声信号の出力をＯＦＦに切り換え、前記記憶手段に記憶されているＨＤＭＩ出力端子の音声出力がＯＮに設定されている場合、ＨＤＭＩ出力端子に出力する映像音声信号に挿入された音声信号にミュートをかけずに、ＨＤＭＩ出力端子に映像音声信号を出力するように制御して、ＨＤＭＩ出力端子への音声信号の出力をＯＮに切り換えるとともに、
前記指令手段により音声出力の切り換えが指令されたとき、音声信号出力端子への音声信号の出力のＯＮ／ＯＦＦとＨＤＭＩ出力端子への音声信号の出力のＯＮ／ＯＦＦとを切り換えるようにしたことを特徴とするリピータ装置。
【請求項２】
ＨＤＭＩ規格に対応したソース装置とシンク装置との中間に接続して、音声出力端子に接続されたスピーカシステムに音声信号を増幅して出力し、ＨＤＭＩ出力端子に接続されたシンク装置に映像音声信号を出力するリピータ装置であって、
音声信号出力端子の音声出力のＯＮ／ＯＦＦの設定値とＨＤＭＩ出力端子の音声出力のＯＮ／ＯＦＦの設定値とを設定する設定手段と、前記設定手段により設定された音声信号出力端子の音声出力の設定値とＨＤＭＩ出力端子の音声出力の設定値とを記憶する記憶手段と、前記記憶手段に記憶されている音声信号出力端子の音声出力の設定値とＨＤＭＩ出力端子の音声出力の設定値とに基づいて音声信号出力端子への音声信号の出力のＯＮ／ＯＦＦとＨＤＭＩ出力端子への音声信号の出力のＯＮ／ＯＦＦとを切り換える切換手段とを備えたことを特徴とするリピータ装置。
【請求項３】
前記切換手段は、前記記憶手段に記憶されている音声信号出力端子の音声出力がＯＮに設定されている場合、映像音声信号に挿入された音声信号を抽出して増幅し、音声信号出力端子に音声信号を出力するように制御して、音声信号出力端子への音声信号の出力をＯＮに切り換える切換手段であることを特徴とする請求項２記載のリピータ装置。
【請求項４】
前記切換手段は、前記記憶手段に記憶されている音声信号出力端子の音声出力がＯＦＦに設定されている場合、映像音声信号に挿入された音声信号の抽出を停止し、音声信号出力端子に音声信号を出力しないように制御して、音声信号出力端子への音声信号の出力をＯＦＦに切り換える切換手段であることを特徴とする請求項２記載のリピータ装置。
【請求項５】
前記切換手段は、前記記憶手段に記憶されているＨＤＭＩ出力端子の音声出力がＯＦＦに設定されている場合、ＨＤＭＩ出力端子に出力する映像音声信号に挿入された音声信号にミュートをかけ、ＨＤＭＩ出力端子に映像信号のみを出力するように制御して、ＨＤＭＩ出力端子への音声信号の出力をＯＦＦに切り換える切換手段であることを特徴とする請求項２記載のリピータ装置。
【請求項６】
前記切換手段は、前記記憶手段に記憶されているＨＤＭＩ出力端子の音声出力がＯＮに設定されている場合、ＨＤＭＩ出力端子に出力する映像音声信号に挿入された音声信号にミュートをかけずに、ＨＤＭＩ出力端子に映像音声信号を出力するように制御して、ＨＤＭＩ出力端子への音声信号の出力をＯＮに切り換える切換手段であることを特徴とする請求項２記載のリピータ装置。
【請求項７】
前記切換手段に音声出力の切り換えを指令する指令手段を更に備え、前記切換手段は、前記指令手段により音声出力の切り換えが指令されたとき、音声信号出力端子への音声信号の出力のＯＮ／ＯＦＦとＨＤＭＩ出力端子への音声信号の出力のＯＮ／ＯＦＦとを切り換えるようにしたことを特徴とする請求項２記載のリピータ装置。
【発明の詳細な説明】
【技術分野】
【０００１】
本発明は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に対応したソース（Ｓｏｕｒｃｅ）装置に接続して、スピーカシステムに音声信号を増幅して出力するリピータ（Ｒｅｐｅａｔｅｒ）装置に係り、特に音声信号の出力を切り換えることができるリピータ装置に関する。
【背景技術】
【０００２】
一般に、ＤＶＤ（Ｄｉｇｉｔａｌ  Ｖｅｒｓａｔｉｌｅ  Ｄｉｓｃ）等の光ディスクに記録された映像音声信号を再生するＨＤＭＩ規格に対応したソース装置のディスク再生装置にスピーカシステムを接続する場合、ＨＤＭＩ規格に対応したソース装置のディスク再生装置とシンク（Ｓｉｎｋ）装置のテレビ装置との中間に、スピーカシステムに音声信号を増幅して出力するリピータ装置を接続して、スピーカシステムから音声を出力するようにしている。この場合、リピータ装置から音声信号がスピーカシステムとシンク装置のテレビ装置との双方に出力され、リピータ装置に接続されたスピーカシステムの複数のスピーカとシンク装置のテレビ装置のスピーカとから音声が出力されるため、スピーカシステムの複数のスピーカから出力される音声とシンク装置のテレビ装置のスピーカから出力される音声とに僅かな位相のずれが生じて、音声に雑音が入ったり、音声が歪んだりして、雑音や歪みのない良質な音声を聴くことができないという問題点があった。
背景技術としては、再生終了時又は再生停止時の再生中断時に、ＭＵＳＥ方式の音声信号中の制御符号中に音声出力抑制フラグを立てて、音声出力抑制フラグにより音声信号にミュートをかけ、再生中断時に発生する不快なノイズを防止するようにしたものがあった（例えば、特許文献１参照）。
また、電源投入時に、抵抗とコンデンサとから成る時定数回路により電源投入時から所定時間まで制御回路のトランジスタをＯＮにして、音声アンプからスピーカへの入力ラインを遮断し、音声アンプから出力されるポップ音をスピーカに入力させないようにしたものがあった（例えば、特許文献２参照）。
また、ミューティング期間中、ゲイン調整可能な増幅器の制御入力端子の電圧を接地レベルにして全音声信号に同時にミュートをかけ、ミューティング期間以外は、ゲイン調整可能な増幅器の制御入力端子の電圧を可変抵抗器の抵抗値に応じた電圧レベルで音声信号を増幅するようにしたものがあった（例えば、特許文献３参照）。
【特許文献１】特開平６−３０３８１号公報
【特許文献２】特開２００５−６４６５１号公報
【特許文献３】特開平９−２８４０６９号公報
【発明の開示】
【発明が解決しようとする課題】
【０００３】
しかしながら、背景技術で述べたもののうち最初のものにおいては、再生終了時又は再生停止時の再生中断時に、ＭＵＳＥ方式の音声信号中の制御符号中に音声出力抑制フラグを立てて、音声出力抑制フラグにより音声信号にミュートをかけ、再生中断時に発生する不快なノイズを防止することができたが、ＭＵＳＥの音声信号がエラーになるような場合に、音声信号にミュートをかけて不快なノイズが出力されないようにしたものであって、上記問題点を解決するようにしたものではなかった。
また、次のものにおいては、電源投入時に、抵抗とコンデンサとから成る時定数回路により電源投入時から所定時間まで制御回路のトランジスタをＯＮにして、音声アンプからスピーカへの入力ラインを遮断し、音声アンプから出力されるポップ音をスピーカに入力させないようにすることができたが、電源投入時から所定時間まで、音声アンプから出力される音声信号にミュートをかけて、音声アンプから出力されるポップ音をスピーカから出力させないようにしたものであって、上記問題点を解決するようにしたものではなかった。
また、更にその次のものにおいては、ミューティング期間中、ゲイン調整可能な増幅器の制御入力端子の電圧を接地レベルにして全音声信号に同時にミュートをかけ、ミューティング期間以外は、ゲイン調整可能な増幅器の制御入力端子の電圧を可変抵抗器の抵抗値に応じた電圧レベルで音声信号を増幅することができたが、各音声信号毎にミュートをかけずに、ゲイン調整可能な増幅器のゲインを最小ゲインにして、全音声信号にミュートを同時にかけるようにしたものであって、上記問題点を解決するようにしたものではなかった。
本発明は、背景技術の有するこのような問題点に鑑みてなされたものであり、その目的とするところは、スピーカシステムが接続された音声信号出力端子への音声信号の出力のＯＮ／ＯＦＦとシンク装置が接続されたＨＤＭＩ出力端子への音声信号の出力のＯＮ／ＯＦＦとを切り換えて、雑音や歪みのない良質な音声を聴くことができるリピータ装置を提供しようとするものである。
【課題を解決するための手段】
【０００４】
上記目的を達成するため本発明においては、ＨＤＭＩ規格に対応したソース装置とシンク装置との中間に接続して、音声出力端子に接続されたスピーカシステムに音声信号を増幅して出力し、ＨＤＭＩ出力端子に接続されたシンク装置に映像音声信号を出力するリピータ装置であって、音声信号出力端子の音声出力のＯＮ／ＯＦＦの設定値とＨＤＭＩ出力端子の音声出力のＯＮ／ＯＦＦの設定値とを設定する設定手段と、前記設定手段により設定された音声信号出力端子の音声出力の設定値とＨＤＭＩ出力端子の音声出力の設定値とを記憶する記憶手段と、前記記憶手段に記憶されている音声信号出力端子の音声出力の設定値とＨＤＭＩ出力端子の音声出力の設定値とに基づいて音声信号出力端子への音声信号の出力のＯＮ／ＯＦＦとＨＤＭＩ出力端子への音声信号の出力のＯＮ／ＯＦＦとを切り換える切換手段とを備える。
前記切換手段は、前記記憶手段に記憶されている音声信号出力端子の音声出力がＯＮに設定されている場合、映像音声信号に挿入された音声信号を抽出して増幅し、音声信号出力端子に音声信号を出力するように制御して、音声信号出力端子への音声信号の出力をＯＮに切り換えるようにする。
また、前記切換手段は、前記記憶手段に記憶されている音声信号出力端子の音声出力がＯＦＦに設定されている場合、映像音声信号に挿入された音声信号の抽出を停止し、音声信号出力端子に音声信号を出力しないように制御して、音声信号出力端子への音声信号の出力をＯＦＦに切り換えるようにする。
また、前記切換手段は、前記記憶手段に記憶されているＨＤＭＩ出力端子の音声出力がＯＦＦに設定されている場合、ＨＤＭＩ出力端子に出力する映像音声信号に挿入された音声信号にミュートをかけ、ＨＤＭＩ出力端子に映像信号のみを出力するように制御して、ＨＤＭＩ出力端子への音声信号の出力をＯＦＦに切り換えるようにする。
また、前記切換手段は、前記記憶手段に記憶されているＨＤＭＩ出力端子の音声出力がＯＮに設定されている場合、ＨＤＭＩ出力端子に出力する映像音声信号に挿入された音声信号にミュートをかけずに、ＨＤＭＩ出力端子に映像音声信号を出力するように制御して、ＨＤＭＩ出力端子への音声信号の出力をＯＮに切り換えるようにする。
更に、前記切換手段に音声出力の切り換えを指令する指令手段を備え、前記切換手段は、前記指令手段により音声出力の切り換えが指令されたとき、音声信号出力端子への音声信号の出力のＯＮ／ＯＦＦとＨＤＭＩ出力端子への音声信号の出力のＯＮ／ＯＦＦとを切り換えるようにする。
これらの手段により、スピーカシステムに音声信号を出力する場合に、スピーカシステムが接続された音声信号出力端子への音声信号の出力のＯＮ／ＯＦＦとシンク装置が接続されたＨＤＭＩ出力端子への音声信号の出力のＯＮ／ＯＦＦとを切り換えて、雑音や歪みのない良質な音声を聴くことができる。
【発明の効果】
【０００５】
請求項１記載の発明に係るリピータ装置によれば、音声信号出力端子の音声出力のＯＮ／ＯＦＦの設定値とＨＤＭＩ出力端子の音声出力のＯＮ／ＯＦＦの設定値とを設定して、設定された音声信号出力端子の音声出力の設定値とＨＤＭＩ出力端子の音声出力の設定値とを記憶し、音声信号出力端子の音声出力がＯＮに設定されている場合、映像音声信号に挿入された音声信号を抽出して増幅し、音声信号出力端子に音声信号を出力するように制御して、音声信号出力端子への音声信号の出力をＯＮに切り換え、音声信号出力端子の音声出力がＯＦＦに設定されている場合、映像音声信号に挿入された音声信号の抽出を停止し、音声信号出力端子に音声信号を出力しないように制御して、音声信号出力端子への音声信号の出力をＯＦＦに切り換え、ＨＤＭＩ出力端子の音声出力がＯＦＦに設定されている場合、ＨＤＭＩ出力端子に出力する映像音声信号に挿入された音声信号にミュートをかけ、ＨＤＭＩ出力端子に映像信号のみを出力するように制御して、ＨＤＭＩ出力端子への音声信号の出力をＯＦＦに切り換え、ＨＤＭＩ出力端子の音声出力がＯＮに設定されている場合、ＨＤＭＩ出力端子に出力する映像音声信号に挿入された音声信号にミュートをかけずに、ＨＤＭＩ出力端子に映像音声信号を出力するように制御して、ＨＤＭＩ出力端子への音声信号の出力をＯＮに切り換えるとともに、音声出力の切り換えが指令されたとき、音声信号出力端子への音声信号の出力のＯＮ／ＯＦＦとＨＤＭＩ出力端子への音声信号の出力のＯＮ／ＯＦＦとを切り換えるようにしているので、スピーカシステムが接続された音声信号出力端子への音声信号の出力のＯＮ／ＯＦＦとシンク装置が接続されたＨＤＭＩ出力端子への音声信号の出力のＯＮ／ＯＦＦとを切り換えて、雑音や歪みのない良質な音声を聴くことができ、また、メニュ画面を表示してリピータ装置の音声出力の設定値を変更しなくても、リモコン装置の音声出力切換キーを操作することによりリピータ装置の音声出力を切り換えることができる。
請求項２記載の発明に係るリピータ装置によれば、音声信号出力端子の音声出力のＯＮ／ＯＦＦの設定値とＨＤＭＩ出力端子の音声出力のＯＮ／ＯＦＦの設定値とを設定して、設定された音声信号出力端子の音声出力の設定値とＨＤＭＩ出力端子の音声出力の設定値とを記憶し、記憶されている音声信号出力端子の音声出力の設定値とＨＤＭＩ出力端子の音声出力の設定値とに基づいて音声信号出力端子への音声信号の出力のＯＮ／ＯＦＦとＨＤＭＩ出力端子への音声信号の出力のＯＮ／ＯＦＦとを切り換えるようにしているので、スピーカシステムが接続された音声信号出力端子への音声信号の出力のＯＮ／ＯＦＦとシンク装置が接続されたＨＤＭＩ出力端子への音声信号の出力のＯＮ／ＯＦＦとを切り換えて、雑音や歪みのない良質な音声を聴くことができる。
請求項３記載の発明に係るリピータ装置によれば、音声信号出力端子の音声出力がＯＮに設定されている場合、映像音声信号に挿入された音声信号を抽出して増幅し、音声信号出力端子に音声信号を出力するように制御して、音声信号出力端子への音声信号の出力をＯＮに切り換えるようにしているので、音声信号出力端子の音声出力をＯＮに設定することにより、音声信号出力端子に接続されたスピーカシステムに音声信号を出力することができる。
請求項４記載の発明に係るリピータ装置によれば、音声信号出力端子の音声出力がＯＦＦに設定されている場合、映像音声信号に挿入された音声信号の抽出を停止し、音声信号出力端子に音声信号を出力しないように制御して、音声信号出力端子への音声信号の出力をＯＦＦに切り換えるようにしているので、音声信号出力端子の音声出力をＯＦＦに設定することにより、音声信号出力端子に接続されたスピーカシステムに音声信号を出力しないようにすることができる。
請求項５記載の発明に係るリピータ装置によれば、ＨＤＭＩ出力端子の音声出力がＯＦＦに設定されている場合、ＨＤＭＩ出力端子に出力する映像音声信号に挿入された音声信号にミュートをかけ、ＨＤＭＩ出力端子に映像信号のみを出力するように制御して、ＨＤＭＩ出力端子への音声信号の出力をＯＦＦに切り換えるようにしているので、ＨＤＭＩ出力端子の音声出力をＯＦＦに設定することにより、ＨＤＭＩ出力端子に接続されたシンク装置に音声信号を出力しないようにする。
請求項６記載の発明に係るリピータ装置によれば、ＨＤＭＩ出力端子の音声出力がＯＮに設定されている場合、ＨＤＭＩ出力端子に出力する映像音声信号に挿入された音声信号にミュートをかけずに、ＨＤＭＩ出力端子に映像音声信号を出力するように制御して、ＨＤＭＩ出力端子への音声信号の出力をＯＮに切り換えるようにしているので、ＨＤＭＩ出力端子の音声出力をＯＮに設定することにより、ＨＤＭＩ出力端子に接続されたシンク装置に音声信号を出力するようにする。
請求項７記載の発明に係るリピータ装置によれば、音声出力の切り換えが指令されたとき、音声信号出力端子への音声信号の出力のＯＮ／ＯＦＦとＨＤＭＩ出力端子への音声信号の出力のＯＮ／ＯＦＦとを切り換えるようにしているので、メニュ画面を表示してリピータ装置の音声出力の設定値を変更しなくても、リピータ装置の音声出力を切り換えることができる。
【発明を実施するための最良の形態】
【０００６】
以下、適宜図面を参照しながら本発明を実施するための最良の形態を詳述する。図１は本発明の一実施例のリピータ装置の構成を示すブロック図であり、図２は本発明の一実施例のリピータ装置のリモコン装置を示す説明図であり、図３は本発明の一実施例のリピータ装置の音声出力の設定画面の表示例を示す図であり、図４は本発明の一実施例のリピータ装置の音声出力の設定動作を示すフローチャートであり、図５は本発明の一実施例のリピータ装置の音声出力の切換動作を示すフローチャートである。
まず、図１の本発明の一実施例のリピータ装置の構成を示すブロック図を基に説明する。
リピータ装置１は、ＨＤＭＩ入力端子Ｔ１に接続されたソース装置のディスク再生装置３０から入力されたデジタルパケットデータの映像信号のブランキング期間に挿入されたデジタルパケットデータの音声信号を抽出する音声信号抽出回路２と、音声信号抽出回路２により抽出されたデジタルパケットデータの音声信号をデコードしてアナログ信号の音声信号に変換するデコーダ／ＤＡ（Ｄｉｇｉｔａｌ−Ａｎａｌｏｇ）変換回路３と、デコーダ／ＤＡ変換回路３によりアナログ信号に変換された音声信号を増幅して、音声信号出力端子Ｔ２に接続されたスピーカシステム４０に音声信号を出力する音声信号増幅出力回路４と、デジタルパケットデータの映像信号のブランキング期間に重畳されたデジタルパケットデータの音声信号にミュートをかけるミュート回路５と、文字情報信号をデジタルパケットデータの映像信号に重畳して、ＨＤＭＩ端子Ｔ３に接続されたシンク装置のテレビ装置５０の画面に文字情報を表示するＯＳＤ（Ｏｎ−Ｓｃｒｅｅｎ  Ｃｈａｒａｃｔｅｒ  Ｄｉｓｐｌａｙ）回路６と、ＨＤＭＩ出力端子Ｔ３に接続されたシンク装置のテレビ装置５０にデジタルパケットデータの映像音声信号を出力する映像音声信号出力回路７と、リピータ装置１のシステム全体を制御するマイコン８と、リピータ装置１の各種設定値を記憶する不揮発性メモリのフラッシュＲＯＭ９と、リピータ装置１の電源のＯＮ／ＯＦＦを制御する電源制御回路１０と、リモコン装置２０から送信された赤外線信号のリモコン信号を受信して赤外線信号のリモコン信号を所定の電気信号に変換するリモコン受信部１１とで構成されている。
また、リモコン装置２０には、図２に示すように、リピータ装置１の電源のＯＮ／ＯＦＦを指令する電源キー２０ａ、リピータ装置１の各種設定値の設定画面のメニュ画面の表示を指令するメニュキー２０ｂ、メニュ画面等に表示された選択項目を選択するカーソルキー２０ｃ、カーソルキー２０ｃにより選択された選択項目の選択を決定する決定キー２０ｄ、リピータ装置１の音声出力の切り換えを指令する音声出力切換キー２０ｅ等の複数の操作キーが設けられていて、それらの操作キーを操作することによりリピータ装置１を所望動作させることができるようになっている。
以上のように構成されたリピータ装置について、以下その動作について説明する。
リモコン装置２０のメニュキー２０ｂの操作によりメニュ画面の表示が指令され、リモコン装置２０のカーソルキー２０ｃと決定キー２０ｄとの操作によりメニュ画面（図示せず）の音声出力の設定が選択されると、マイコン８は、文字情報信号と制御信号とをＯＳＤ回路６に送出して、リピータ装置１のＨＤＭＩ出力端子Ｔ３に接続されたシンク装置のテレビ装置５０の画面５０ａにリピータ装置１の音声出力の設定画面を表示する（図３参照）。リモコン装置２０のカーソルキー２０ｃの操作によりリピータ装置１の音声信号出力端子Ｔ２の音声出力のＯＮ／ＯＦＦの設定値、ＨＤＭＩ出力端子Ｔ３の音声出力のＯＮ／ＯＦＦの設定値が選択されると、マイコン８は、文字情報信号と制御信号とをＯＳＤ回路６に送出して、選択された選択項目をハイライト表示する（図３参照。なお、図３において、ハイライト表示を枠表示で示している）。そして、リモコン装置２０のカーソルキー２０ｃと決定キー２０ｄとの操作によりリピータ装置１の音声出力の設定値の設定が選択されると、マイコン８は、設定されたリピータ装置１の音声出力の設定値をフラッシュＲＯＭ９に記憶し、音声信号抽出回路２とミュート回路５とに制御信号を送出して、フラッシュＲＯＭ９に記憶されている音声出力の設定値に基づいてリピータ装置１の音声信号出力端子Ｔ２への音声信号の出力のＯＮ／ＯＦＦとリピータ装置１のＨＤＭＩ出力端子Ｔ３への音声信号の出力のＯＮ／ＯＦＦとを切り換える。また、音声出力の設定画面の設定値を選択した後に、音声出力の設定画面の取消を選択することにより、選択された音声出力の設定値の変更を取り消すことができるようになっている。
リピータ装置１の音声信号出力端子Ｔ２の音声出力がＯＮに設定されている場合、マイコン８は、音声信号抽出回路２に制御信号を送出して、ＨＤＭＩ入力端子Ｔ１に入力されたデジタルパケットデータの映像信号のブランキング期間に挿入されたデジタルパケットデータの音声信号を抽出し、デコーダ／ＤＡ変換回路３によりデジタルパケットデータの音声信号をデコードしてアナログ信号の音声信号に変換し、音声信号増幅出力回路４によりアナログ信号の音声信号を増幅して、リピータ装置１の音声信号出力端子Ｔ２に接続されたスピーカシステム４０に音声信号を出力するように制御して、音声信号出力端子Ｔ２への音声信号の出力をＯＮに切り換える。また、リピータ装置１の音声信号出力端子Ｔ２の音声出力がＯＦＦに設定されている場合、マイコン８は、音声信号抽出回路２に制御信号を送出して、ＨＤＭＩ入力端子Ｔ１に入力されたデジタルパケットデータの映像信号のブランキング期間に重畳されたデジタルパケットデータの音声信号の抽出を停止し、音声信号出力端子に音声信号を出力しないように制御して、音声信号出力端子Ｔ２への音声信号の出力をＯＦＦに切り換える。
また、リピータ装置１のＨＤＭＩ出力端子Ｔ３の音声信号の出力がＯＦＦに設定されている場合、マイコン８は、ミュート回路５に制御信号を送出して、デジタルパケットデータの映像信号のブランキング期間に挿入されたデジタルパケットデータの音声信号にミュートをかけ、ＨＤＭＩ出力端子Ｔ３に接続されたシンク装置のテレビ装置５０にデジタルパケットデータの映像信号のみを出力するように制御して、ＨＤＭＩ出力端子への音声信号の出力をＯＦＦに切り換える。また、リピータ装置１のＨＤＭＩ出力端子Ｔ３の音声信号の出力がＯＮに設定されている場合、マイコン８は、デジタルパケットデータの映像信号のブランキング期間に挿入されたデジタルパケットデータの音声信号にミュートをかけずに、ＨＤＭＩ出力端子Ｔ３に接続されたシンク装置のテレビ装置５０にデジタルパケットデータの映像音声信号を出力するように制御して、ＨＤＭＩ出力端子への音声信号の出力をＯＮに切り換える。
また、リモコン装置２０の電源キー２０ａの操作によりリピータ装置１の電源ＯＮが指令されたとき、マイコン８は、電源制御回路１０に制御信号を送出して、リピータ装置１の電源をＯＮにし、フラッシュＲＯＭ９に記憶されている音声出力の設定値に基づいてリピータ装置１の音声信号出力端子Ｔ２への音声信号の出力のＯＮ／ＯＦＦとリピータ装置１のＨＤＭＩ出力端子Ｔ３への音声信号の出力のＯＮ／ＯＦＦとを切り換える。リモコン装置２０の音声出力切換キー２０ｅの操作によりリピータ装置１の音声出力の切り換えが指令された場合、マイコン８は、リピータ装置１の音声信号出力端子Ｔ２への音声信号の出力のＯＮ／ＯＦＦとＨＤＭＩ出力端子Ｔ３への音声信号の出力のＯＮ／ＯＦＦとを切り換える。これにより、リピータ装置１の音声信号出力端子Ｔ２に接続されたスピーカシステム４０への音声信号の出力のＯＮ／ＯＦＦとＨＤＭＩ出力端子Ｔ３に接続されたシンク装置のテレビ装置５０への音声信号の出力のＯＮ／ＯＦＦとを切り換えることができるので、ディスク再生装置３０により再生された音声を雑音や歪みのない良質な音声で聴くことができ、また、メニュ画面を表示してリピータ装置の音声出力の設定値を変更しなくても、リモコン装置２０の音声出力切換キー２０ｅを操作することによりリピータ装置１の音声出力を切り換えることができる。
また、図４の本発明の一実施例のリピータ装置の音声出力の設定動作を示すフローチャートを基に説明する。
リモコン装置のカーソルキーと決定キーとの操作によりメニュ画面の音声出力の設定が選択されると、ステップＳ１からステップＳ２に進み、ステップＳ２で、リピータ装置の音声出力の設定画面が表示され、ステップＳ３に進む。
ステップＳ３で、リモコン装置のカーソルキーと決定キーとの操作によりリピータ装置の音声出力の設定の取消が選択されたか否かが判断され、リピータ装置の音声出力の設定の取消が選択された場合、ステップＳ８に進んで処理を終了し、リピータ装置の音声出力の設定の取消が選択されていない場合、ステップＳ４に進む。
ステップＳ４で、リモコン装置のカーソルキーの操作によりリピータ装置の音声出力の設定値が選択されたか否かが判断され、リピータ装置の音声出力の設定値が選択された場合、ステップＳ５に進み、リピータ装置の音声出力の設定値が選択されていない場合、ステップＳ３に戻って、ステップＳ３からのステップを繰り返す。
ステップＳ５で、選択されたリピータ装置の音声出力の設定値がハイライト表示されて、ステップＳ６に進む。
ステップＳ６で、リモコン装置のカーソルキーと決定キーとの操作によりリピータ装置の音声出力の設定値の設定が選択されたか否かが判断され、リピータ装置の音声出力の設定値の設定が選択された場合、ステップＳ７に進み、リピータ装置の音声出力の設定値の設定が選択されていない場合、ステップＳ３に戻って、ステップＳ３からのステップを繰り返す。
ステップＳ７で、設定されたリピータ装置の音声出力の設定値がフラッシュＲＯＭに記憶され、フラッシュＲＯＭに記憶されているリピータ装置の音声出力の設定値に基づいてリピータ装置の音声信号の出力のＯＮ／ＯＦＦが切り換えられて、ステップＳ８に進んで処理を終了する。
また、図５の本発明の一実施例のリピータ装置の音声出力の切換動作を示すフローチャートを基に説明する。
リピータ装置の電源がＯＮになると、ステップＳ１１からステップＳ１２に進み、ステップＳ１２で、フラッシュＲＯＭに記憶されているリピータ装置の音声出力の設定値に基づいてリピータ装置の音声信号出力端子への音声信号の出力のＯＮ／ＯＦＦとＨＤＭＩ出力端子への音声信号の出力のＯＮ／ＯＦＦとが切り換えられて、ステップＳ１３に進む。
ステップＳ１３で、リモコン装置の音声出力切換キーの操作によりリピータ装置の音声出力の切り換えが指令されたか否かが判断され、リピータ装置の音声出力の切り換えが指令された場合、ステップＳ１４に進み、リピータ装置の音声出力の切り換えが指令されていない場合、ステップＳ１５に進む。
ステップＳ１４で、リピータ装置の音声信号出力端子への音声信号の出力のＯＮ／ＯＦＦとＨＤＭＩ出力端子への音声信号の出力のＯＮ／ＯＦＦとが切り換えられて、ステップＳ１５に進む。
ステップＳ１５で、リモコン装置の電源キーの操作によりリピータ装置の電源ＯＦＦが指令されたか否かが判断され、電源ＯＦＦが指令された場合、ステップＳ１６に進んで処理を終了し、電源ＯＦＦが指令されていない場合、ステップＳ１３に戻って、ステップＳ１３からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のリピータ装置の構成を示すブロック図である。
【図２】本発明の一実施例のリピータ装置のリモコン装置を示す説明図である。
【図３】本発明の一実施例のリピータ装置の音声出力の設定画面の表示例を示す図である。
【図４】本発明の一実施例のリピータ装置の音声出力の設定動作を示すフローチャートである。
【図５】本発明の一実施例のリピータ装置の音声出力の切換動作を示すフローチャートである。
【符号の説明】
【０００８】
１  リピータ装置
２  音声信号抽出回路
３  デコーダ／ＤＡ変換回路
４  音声信号増幅出力回路
５  ミュート回路
６  ＯＳＤ回路
７  映像音声信号出力回路
８  マイコン
９  フラッシュＲＯＭ
１０  電源制御回路
１１  リモコン受信部
２０  リモコン装置
２０ａ  電源キー
２０ｂ  メニュキー
２０ｃ  カーソルキー
２０ｄ  決定キー
２０ｅ  音声出力切換キー
４０  スピーカシステム
５０  テレビ装置
５０ａ  画面
Ｔ１  ＨＤＭＩ入力端子
Ｔ２  音声信号出力端子
Ｔ３  ＨＤＭＩ出力端子
【図１】
2007180745.tif 000003
【図２】
2007180745.tif 000004
【図３】
2007180745.tif 000005
【図４】
2007180745.tif 000006
【図５】
2007180745.tif 000007